(57)【特許請求の範囲】
【請求項１】
掃除機本体に連結する連通筒を備え第１の連通穴と本体吸込口を有する本体吸込部と、基端部に第２の連通穴を有し先端に補助吸込口を有する細筒部を形成し、前記基端部が前記本体吸込部に回動自在に取付けられ、回動位置によって前記第１の連通穴と第２の連通穴を連通又は遮断させる補助吸込部と、該補助吸込部を回動自在に軸支するともに該補助吸込部の回動と連動して前記連通筒を開閉させる切換え手段とを有し、
前記切換え手段を、ほぼ円形の基板及び該基板の外周のほぼ２分の１の範囲に突設されて開口部が設けられた縦壁よりなり前記連通筒内に取り付けられた開閉盤と、一端が前記開口部の上部に開閉自在に取付けられて該開口部を開閉する板状の開閉弁と、下部が前記基板に固定され上部が補助吸込部の基端部に固定されて前記補助吸込部及び開閉盤を回動自在に一体に軸支する回動軸とによって構成し、
前記本体吸込部の使用時には、該本体吸込部の本体吸込口と前記補助吸込部の補助吸込口は反対方向に向くようにし、前記開閉盤は開口部が連通筒側に位置し、前記第１、第２の連通穴が連通せず、前記補助吸込部の使用時には、前記本体吸込部の本体吸込口と前記補助吸込部の補助吸込口が同方向に向くようにし、前記開閉盤は開口部が本体吸込部の本体吸込口側に位置し、前記第１、第２の連通穴が連通することを特徴とする電気掃除機の吸込具。
【発明の詳細な説明】
【０００１】
【発明の属する技術分野】
本発明は、電気掃除機の吸込具に係り、より詳しくは、通常の吸込口では充分に吸引することができない箇所における塵やごみ等を吸込口を差し替えることなく吸引することができる電気掃除機の吸込具に関するものである。
【０００２】
【従来の技術】
図１０は、例えば特開平８ー５２１００号公報に開示された従来の電気掃除機の吸込具の一例を示す縦断面図である。床面３０上の塵やごみ等は、吸込具本体３１の底面に形成された横長の吸込口３２から吸込口本体３１内に吸引され、接続部３３、ホース（図示せず）を経て、電気掃除機本体（図示せず）に移動する。
【０００３】
【発明が解決しようとする課題】
上記のように構成した電気掃除機の吸込具は、床面３０などを掃除する場合に使用するが、部屋や階段の壁際や狭い隙間などを掃除する場合は、別に設けた特殊形状の吸込具と差し替えて使用していた。しかしながら、差し替えが頻繁に行われると煩わしく、不使用時の収納場所を掃除機本体に設けると余分なスペースが必要となり、そのうえ差替え式では紛失しやすい等の問題があった。
【０００４】
本発明は、上記のような課題を解決するためになされたもので、部屋や階段の壁際や狭い隙間などを掃除する場合に、吸込具を差し替えることなく吸込口を切り替えることができる電気掃除機の吸込具を得ることを目的とする。
【０００５】
【課題を解決するための手段】
本発明にかかる電気掃除機の吸込具は、掃除機本体に連結する連通筒を備え第１の連通穴と本体吸込口を有する本体吸込部と、基端部に第２の連通穴を有し先端に補助吸込口を有する細筒部を形成し、基端部が本体吸込部に回動自在に取付けられ、回動位置によって第１の連通穴と第２の連通穴を連通又は遮断させる補助吸込部と、補助吸込部を回動自在に軸支するともに補助吸込部の回動と連動して連通筒を開閉させる切換え手段とを有し、
切換え手段を、ほぼ円形の基板及び基板の外周のほぼ２分の１の範囲に突設されて開口部が設けられた縦壁よりなり連通筒内に取り付けられた開閉盤と、一端が開口部の上部に開閉自在に取付けられて開口部を開閉する板状の開閉弁と、下部が基板に固定され上部が補助吸込部の基端部に固定されて補助吸込部及び開閉盤を回動自在に一体に軸支する回動軸とによって構成し、
本体吸込部の使用時には、本体吸込部の本体吸込口と補助吸込部の補助吸込口は反対方向に向くようにし、開閉盤は開口部が連通筒側に位置し、第１、第２の連通穴が連通せず、補助吸込部の使用時には、本体吸込部の本体吸込口と補助吸込部の補助吸込口が同方向に向くようにし、開閉盤は開口部が本体吸込部の本体吸込口側に位置し、第１、第２の連通穴が連通するようにした。
【０００９】
【発明の実施の形態】
［実施の形態１］
図１、図２は本発明の実施の形態１に係る吸込口の縦断面図及びその平面図、図３は図１の要部の斜視図、図４、図５は作用説明図である。１は電気掃除機の吸込具の吸込口本体で、底面１ａ、背面１ｂ、上方斜面１ｃ、前面１ｄ、側壁１ｅによって囲まれた断面ほぼ三角形で横長の箱型形状をなし、背部にはホース  （図示せず）と接続する筒状の連通筒２が一体に設けられている。なお、吸込具本体１の上方斜面１ｃから連通筒２の上面２ａにかけての面は、同一平面をなすように形成してある。３は連通筒２の下面２ｂの延長平面上で吸込口本体１の内部方向に向けて取り付けた連通筒部材である。
４は吸込口本体１の底面１ａに形成された横長の本体吸込口、５は吸込口本体１の上方斜面１ｃに曲線側を本体吸込口４側に向けて形成した半円状の第１の連通穴である。
【００１０】
６は補助吸込口本体で、ほぼ円筒状の基端部６ａと、基端部６ａから先端部に向って徐々に縮幅されてテーパー状に形成された細筒部６ｂとからなり、基端部６ａの先端部側下面には、曲線部を先端部側に向けた半円状の第２の連通穴７が設けられ、この第２の連通穴７から先端部側は中空に形成されて、先端部には上下方向に長い長方形状の補助吸込口８が開口している。なお、補助吸込口８は補助吸込口本体６の先端部を傾斜させて形成し、図４に示すように、補助吸込口８を床面側に向けたときに補助吸込口８が吸込口本体１の底面１ａとほぼ平行になるようにすると共に、補助吸込口８が吸込口本体１の底面１ａ位置よりも床面側に突出するようになっている。
【００１１】
１０は本体吸込口４と補助吸込口８とを切換える切換え手段で、その一例を図３に示す。１１は開閉盤であり、１２は一方の側（例えば、図の右側）が切除されたほぼ円形の基板で、切除部を含む外周のほぼ２分の１の範囲には縦壁１３が立設されており、縦壁１３の反対側は開放されて開放部１４が形成されている。１６は縦壁１３の平坦面１５に設けた開口部である。１７は一部が例えばゴムの如き柔軟材１７ａからなる板状の開閉弁で、その柔軟材１７ａ部分が開口部１６の上部において平坦部１５に固定されており、常時は自重により垂下して開口部１６の前面を覆っている。
【００１２】
１８は回動軸で、その下部は開閉盤１１の基板１２の中心部を貫通して固定されており、開閉盤１１を吸込口本体１内に収容したときは、その下端部と上下方向のほぼ中央部が吸込口本体１に回動自在に支持され、吸込口本体１から突出した回動軸１８の上部は、補助吸込口本体６の基端部６ａを貫通して固定されている。したがって、補助吸込口本体６を回動すれば、開閉盤１１もこれと連動して吸込口本体１内を同じ角度回動する。
【００１３】
上記のように構成した実施の形態１の作用を説明する。まず、補助吸込口本体６を使用しない場合は、図１、図２に示すように、補助吸込口本体６は連通筒２上に位置して補助吸込口８が上方にあり、開閉盤１１は開放部１４が吸込口本体１の本体吸込口４側に位置し、開口部１６が連通筒２側に位置する。また、吸込口本体１の本体吸込口４と補助吸込口本体６の補助吸込口８は反対方向に位置し、吸込口本体１の第１の連通穴５と補助吸込口本体６の第２の連通穴７は１８０度ずれた位置にある。このため、吸込口本体１の第１の連通穴５は、図１に示すように、補助吸込口本体６の基端部６ａによって塞がれ、一方、補助吸込口本体６の第２の連通穴７は吸込口本体１の上面１ｃによって塞がれる。こうして、吸込口本体１の第１の連通穴５と補助吸込口本体６の第２の連通穴７は共に塞がれて相互に連通せず、補助吸込口本体６は掃除機本体（図示せず）と遮断される。なお、この状態においては、開閉弁１７は自重により垂下し、破線で示すように開閉盤１１の開口部１６を閉塞している。
【００１４】
この状態で、電気掃除機本体に通電して電動送風機を駆動すると、その吸引力により図１に実線で示すように開閉弁１７が吸引されて開口部１６を開放し、吸込口本体１の本体吸込口４と電気掃除機本体とが連通する。
よって、吸込口本体１の本体吸込口４を使用して床面等の掃除を行えば、床面等の塵埃等は本体吸込口４から吸込口本体１内に吸引され、開閉盤１１の開放部１４、開閉口１６を通って連通筒２内を矢印で示す方向に進み、電気掃除機本体に流れる。
【００１５】
次に、補助吸込口本体６を使用する場合について説明する。この場合は、補助吸込口本体６を、図１、図２に示す状態から、ほぼ１８０度回動させ、図４、図５に示すように、吸込口本体１の本体吸込口４と補助吸込口本体６の補助吸込口８が同方向に向くようにする。こうすると、吸込口本体１の第１の連通穴５と補助吸込口本体６の第２の連通穴７の位置が一致する。
一方、補助吸込口本体６の回動にともなって、開閉盤１１も補助吸込口本体６と一体となって回動し、開放部１４が連通管２側に位置し、開口部１６が吸込口本体１の本体吸込口４側に位置する。このとき、開閉弁１７は、破線で示すように垂下する。
【００１６】
この状態で、電気掃除機本体に通電して電動送風機を駆動すると、その引力により開閉弁１７が吸引され、実線で示すように開口部１６を閉塞し、補助吸込口本体６の補助吸込口８が第１、第２の連通穴５，７を介して電気掃除機本体に連通する。そして、補助吸込口本体６の補助吸込口８を使用して、部屋や階段の壁際や狭い隙間などの掃除を行えば、壁際等の塵埃等は補助吸込口８から補助吸込口本体６内に吸引され、第１の連通穴５、第２の連通穴７を通過し、連通筒２を通って矢印で示す方向に進み、電気掃除機本体に流れる。
【００１７】
実施の形態１によれば、床面などの掃除を行うときは、補助吸込口本体６を上方に回動して第１、第２の連通口５，７を閉塞し、同時にこれと連動する開閉盤１１の開放部１４を吸込口本体１の本体吸込口４側に位置させると共に、開口部１６を連通筒２側に位置させて本体吸込口４と電気掃除機本体とを連通させる。
【００１８】
また、壁際などの狭い場所の掃除を行うときは、補助吸込口本体６を１８０度回転させてその補助吸込口８を吸込口本体１の本体吸込口４側に位置させると共に、第１、第２の連通口５，７を連通させる。同時に開閉盤１１の開口部１６を本体吸込口４側に位置させて開閉弁１７により閉塞しうるようにして、補助吸込口本体６の補助吸込口８から塵埃等を吸込むようにしたので、吸込口の差し替えを行うことなく、簡単に切換えることができる。
【００１９】
［実施の形態２］
図６、図７は本発明の実施の形態２における吸込口の縦断面図及びその平面図、図８、図９はその作用説明図である。１は電気掃除機の吸込具の吸込口本体で、底面１ａ、背面１ｂ、上方傾斜面１ｃ、前面１ｄ、側壁１ｅによって囲まれた横長の箱型形状をなす。４は吸込口本体１の底面１ａに形成された横長の本体吸込口、１９は吸込口本体４の上方傾斜面１ｃの背部にほぼ円形状に開口した嵌合穴である。
【００２０】
６は補助吸込口本体で、円筒状の基端部６ａと、基端部６ａから徐々に縮幅されてテーパー状に形成された細筒部６ｂとからなり、細筒部６ｂの先端部は開口して補助吸込口８が形成されている。そして、補助吸込口本体６は吸込口本体１内においてその先端部が吸込口本体１の一方の側壁１ｅに設けた開口部１９ａに挿入されて一部が外部に露出し、基端部６ａが嵌合部１９に嵌入されて一体に保持される。８ａは補助吸込口８に出し入れ可能に装着された出し入れ口である。２１は補助吸込口本体６の基端部６ａの補助吸込口８側の側壁に設けた第３の連通穴、２２は第３の連通穴２１と９０度隔てた吸込口４側に開口する第４の連通穴である。
【００２１】
２３は連結筒で、補助吸込口本体６の円筒状の基端部６ａに回動自在に嵌合された内接円筒部２４と、この内接円筒部２４から斜め上方に折り曲げられてホース（図示せず）に接続される接続筒部２５からなっている。２２は内接円筒部２４の先端部側壁に設けた第４の連通穴で、図６、図７の状態では吸込具本体１の本体吸込具４側に開口している。
【００２２】
そして、第３、第４、第５の連通穴２１，２２，２６の関係位置は、連通筒２３が吸込口本体１とほぼ直角に位置するときは、連結筒２３の第５の連通穴２６と補助吸込口本体６の第４の連通穴２２が吸込口本体１の本体吸込口４側に位置して連通し、補助吸込口本体６の第３の連通穴２１は連通筒２３の内接円筒部２４の側壁によって塞がれるようになっている。一方、図８、図９に示すように、連通筒２３が９０度回動して補助吸込口本体６とほぼ平行に位置するときは、連通筒２３の第５の連通穴２６と補助吸込口本体６の第３の連通穴２１が連通すると共に、補助吸込口本体６の第４の連結穴２２が連通筒２３の内接円筒部２４の側壁によって塞がれるようになっている。
【００２３】
上記のように構成した実施の形態２の作用を説明する。まず、補助吸込口本体６の補助吸込口８を使用しない場合について説明する。この場合は、図６、図７に示すように、連通筒２３を吸込口本体１とほぼ直交して位置させる。これにより、連結筒２３の第５の連通穴２６は吸込口本体１の本体吸込口４側に位置し、補助吸込口本体６の第３の連通穴２１とはぼ９０度ずれた位置にある。このため、補助吸込口本体６の第３の連通穴２１は連結筒２３の内接円筒部２４の側壁によって塞がれ、補助吸込口８は遮断される。一方、連結筒２３の第５の連通穴２６と補助吸込口本体６の第４の連通穴２２は連通しているので連通筒２３の通路は開放状態にある。
この状態で、吸込口本体１の本体吸込口４を使用して床面等の掃除を行えば、塵埃等は本体吸込口４から吸込口本体１内に吸引され、第３、第４の連通穴２２２，２６を通って矢印で示す方向に進み、連通筒２３を通って電気掃除機本体  （図示せず）方向に流れる。
【００２４】
次に、補助吸込口本体６を使用する場合について説明する。この場合は、連通筒２３を、図６、図７に示す状態から、補助吸込口本体６の基端部６ａ内をほぼ９０度回動させて、図８、図９に示すように、連通筒２３の電気掃除機本体側と補助吸込口本体６の補助吸込口８側とが反対方向に向くように位置させる。こうすると、連通筒２３の第５の連通穴２６が補助吸込口本体６の吸込口８側に位置し、補助吸込口本体６の第３の連通穴２１と同方向に位置する。このため、補助吸込口本体１の第４の連通穴２２は連通筒２の内接円筒部２４の側壁によって塞がれ、吸込口本体１の本体吸込口４は遮断される。一方、連結筒２３の第５の連通穴２６と補助吸込口本体６の第３の連通穴２１は連通しているので、補助吸込口本体６の通路は開放状態になる。
【００２５】
この状態で、補助吸込口本体６の補助吸込口８から出し入れ口８ａを引き出して、部屋や階段の壁際や狭い隙間などを掃除する。こうすると、塵埃等は補助吸込口８の出し入れ口８ａから補助吸込口本体６内に吸引され、第３、第５の連通穴２１，２６を通って矢印で示す方向に進み、連通筒２３を通って電気掃除機本体方向に流れる。
【００２６】
実施の形態２によれば、連結筒２３を回動させて、補助吸込口本体６の補助吸込口８が遮断されたときは吸込口本体１の本体吸込口４を開口し（図６、図７）、補助吸込口本体６の補助吸込口８が開口したときは吸込口本体１の本体吸込口４を遮断する（図８、図９）ようにしたので、吸込口の差し替えをしないで切換えることができる。
【００２７】
【発明の効果】
以上の説明から明らかなように、本発明にかかる電気掃除機の吸込具は、掃除機本体に連結する連通筒を備え第１の連通穴と本体吸込口を有する本体吸込部と、基端部に第２の連通穴を有し先端に補助吸込口を有する細筒部を形成し、基端部が本体吸込部に回動自在に取付けられ、回動位置によって第１の連通穴と第２の連通穴を連通又は遮断させる補助吸込部と、補助吸込部を回動自在に軸支するともに補助吸込部の回動と連動して連通筒を開閉させる切換え手段とを有し、切換え手段を、ほぼ円形の基板及び基板の外周のほぼ２分の１の範囲に突設されて開口部が設けられた縦壁よりなり連通筒内に取り付けられた開閉盤と、一端が開口部の上部に開閉自在に取付けられて開口部を開閉する板状の開閉弁と、下部が基板に固定され上部が補助吸込部の基端部に固定されて補助吸込部及び開閉盤を回動自在に一体に軸支する回動軸とによって構成し、本体吸込部の使用時には、本体吸込部の本体吸込口と補助吸込部の補助吸込口は反対方向に向くようにし、開閉盤は開口部が連通筒側に位置し、第１、第２の連通穴が連通せず、補助吸込部の使用時には、本体吸込部の本体吸込口と補助吸込部の補助吸込口が同方向に向くようにし、開閉盤は開口部が本体吸込部の本体吸込口側に位置し、第１、第２の連通穴が連通するようにした。このため、吸込具を使用して掃除をする際に、用途に適した吸込口の切替えを吸込具の差し替えなしで簡易に実現することができる。
【図面の簡単な説明】
【図１】  本発明の実施の形態１の縦断面図である。
【図２】  図１の平面図である。
【図３】  図１の要部の斜視図である。
【図４】  図１の作用を示す縦断面図である。
【図５】  図２の作用を示す平面図である。
【図６】  本発明の実施の形態２の縦断面図である。
【図７】  図６の平面図である。
【図８】  図６の作用を示す側断面図である。
【図９】  図７の作用を示す平面図である。
【図１０】  従来の電気掃除機の吸込具の一例を示す縦断面図である。
【符号の説明】
１  吸込口本体、２  連通筒、４  本体吸込口、５  第１の連通穴、６  補助吸込口本体、６ａ  基端部、６ｂ  細筒部、７  第２の連通穴、８  補助吸込口、１０  切換え手段、１２  基板、１３  縦壁、１６  開口部、１７  開閉弁、１８  回動軸、２１  第３の連通穴、２２  第４の連通穴、２３  連結筒、２６
第５の連通穴。
【図１】
0003861232.tif 000002
【図２】
0003861232.tif 000003
【図３】
0003861232.tif 000004
【図４】
0003861232.tif 000005
【図５】
0003861232.tif 000006
【図６】
0003861232.tif 000007
【図７】
0003861232.tif 000008
【図８】
0003861232.tif 000009
【図９】
0003861232.tif 000010
【図１０】
0003861232.tif 000011